(57)【要約】【課題】  ＢＳ／ＣＳ(放送衛星／通信衛星)と地上波放送のどちらのネットワークからも、個別データのダウンロードを短時間で、且つ、安定して受信することを目的とする。【解決手段】  衛星放送から第１の信号を受信する衛星受信部１０１と、地上波放送から第２の信号を受信する地上波受信部１０２と、上記衛星受信部１０１により受信された第１の信号と上記地上波受信部１０２により受信された第２の信号とを選択するスイッチャ５と、上記スイッチャ５により選択された信号を処理する処理部２００とを備えたことを特徴とする。【選択図】        図１
2005051610.tif 000002
【特許請求の範囲】
【請求項１】
衛星放送から第１の信号を受信する衛星受信部と、
地上波放送から第２の信号を受信する地上波受信部と、
上記衛星受信部により受信された第１の信号と上記地上波受信部により受信された第２の信号とを選択する選択部と、
上記選択部により選択された信号を処理する処理部と
を備えたことを特徴とする放送受信装置。
【請求項２】
上記選択部は、上記処理部が上記選択部により選択された信号を処理できなった場合に、選択しなかった信号を改めて選択し、
上記処理部は、上記選択部により改めて選択された信号を処理することを特徴とする請求項１記載の放送受信装置。
【請求項３】
上記衛星受信部は、受信された第１の信号の受信レベルを計測し、
上記地上波受信部は、受信された第２の信号の受信レベルとを計測し、
上記処理部は、上記衛星受信部により計測された第１の信号の受信レベルと上記地上波受信部により計測された第２の信号の受信レベルとを比較し、
上記選択部は、上記処理部により比較された結果、受信レベルが高い信号を選択することを特徴とする請求項１記載の放送受信装置。
【請求項４】
上記選択部は、ユーザが予め設定した信号を選択することを特徴とする請求項１記載の放送受信装置。
【請求項５】
上記処理部は、さらに、上記衛星受信部により受信される第１の信号と上記地上波受信部により受信される第２の信号とについての受信の開始時刻を管理し、
上記選択部は、上記処理部により管理された受信の開始時刻に基づいて、上記衛星受信部により受信される第１の信号と上記地上波受信部により受信される第２の信号との内、受信の開始時刻が早い信号を選択することを特徴とする請求項１記載の放送受信装置。
【請求項６】
上記処理部は、さらに、上記衛星受信部により受信される第１の信号と上記地上波受信部により受信される第２の信号とについての受信の終了時刻を管理し、
上記選択部は、上記処理部により管理された受信の終了時刻に基づいて、上記衛星受信部により受信される第１の信号と上記地上波受信部により受信される第２の信号との内、受信の終了時刻が早い信号を選択することを特徴とする請求項１記載の放送受信装置。
【請求項７】
衛星放送から第１の信号を受信する衛星受信工程と、
地上波放送から第２の信号を受信する地上波受信工程と、
上記衛星受信工程により受信された第１の信号と上記地上波受信工程により受信された第２の信号とを選択する選択工程と、
上記選択工程により選択された信号を処理する処理工程と
を備えたことを特徴とする放送受信方法。
【発明の詳細な説明】
【技術分野】
【０００１】
この発明は、放送受信装置、又は放送受信方法に関するものである。特に、ＢＳ／ＣＳ（放送衛星／通信衛星）と地上波放送の共用デジタル放送受信装置において、ダウンロードコンテンツ（付加情報信号列）を受信するエンジニアリングスロットのネットワーク選択に関するものである。
【背景技術】
【０００２】
従来のデジタル放送受信装置のダウンロード方式においては、送出側はダウンロードする個別データに受信装置に対するメーカー／機種／ソフトウェアバージョンといった識別データを加えた付加情報信号列を予め決められたネットワークのエンジニアスロットから送信し、受信装置は、当該ネットワークのエンジニアスロットから付加情報信号列を受信して、その信号列に含まれる識別データと個別データを分離および識別して、受信装置が必要とする個別データを取得するように構成している。（例えば、特許文献１参照）
【特許文献１】特開平１１−２３２１１０号公報
【発明の開示】
【発明が解決しようとする課題】
【０００３】
上記で述べた従来のデジタル放送受信装置では、ＢＳ／ＣＳ専用であったため、エンジニアリングスロットとして使用するネットワークは固定されており、ダウンロードにあたって異種のネットーワークのエンジニアリングスロットに切り換える必要がなかった。しかしながら、これでは、ＢＳ／ＣＳと地上波放送の共用デジタル放送受信装置を設けることができず不便であるといった問題があった。
【０００４】
また、ＢＳ／ＣＳと地上波放送の共用デジタル放送受信装置を設けた場合、付加データを受信するエンジニアリングスロットがＢＳ／ＣＳと地上波放送の両ネットワークに存在するため、仮に、どちらか一方のネットワークに固定すると、そのネットワークが接続されていなかった場合には、エンジニアリングスロットの選局すらできないなどの問題があった。
【０００５】
本発明は、ＢＳ／ＣＳと地上波放送のどちらのネットワークからも、個別データのダウンロードを短時間で、且つ、安定して受信することを目的とする。
【課題を解決するための手段】
【０００６】
この発明に係る放送受信装置は、衛星放送から第１の信号を受信する衛星受信部と、
地上波放送から第２の信号を受信する地上波受信部と、
上記衛星受信部により受信された第１の信号と上記地上波受信部により受信された第２の信号とを選択する選択部と、
上記選択部により選択された信号を処理する処理部と
を備えたことを特徴とする。
【発明の効果】
【０００７】
本発明によれば、ダウンロードを短時間で、且つ、安定して受信できる効果がある。
【発明を実施するための最良の形態】
【０００８】
実施の形態１．
本実施の形態１では、ダウンロードするエンジニアリングスロットとして、ＢＳ／ＣＳと地上波放送のどちらのネットワークを対象とするか、手動もしくは自動で切り換えることによって、個別データのダウンロードを短時間で、且つ、安定して受信する。
【０００９】
本実施の形態１に関わるデジタル放送受信装置は、ＢＳ／ＣＳと地上波放送の受信信号を復調し、誤りを訂正してトランスポート信号列を出力する手段と、衛星放送と地上波放送からのトランスポート信号列を切り換える手段と、トランスポート信号列を映像、音声及び付加情報信号列に分離する信号処理手段と、付加情報信号列からダウンロードする個別データを抽出する手段と、個別データを記憶する手段を備えて、ＢＳ／ＣＳと地上波放送のどちらのネット−クを対象とするか、手動もしくは自動で切り換えるものである。
【００１０】
以下、図面を参照して、実施の形態１を説明する。
【００１１】
図１は、実施の形態１に係るデジタル放送受信装置の構成図である。
【００１２】
デジタル放送受信装置（放送受信装置の一例である）は、衛星受信部１０１、地上波受信部１０２、スイッチャ５（選択部の一例である）、処理部２００を備えている。
【００１３】
衛星受信部１０１は、衛星放送用アンテナ１と、衛星放送用チューナ３とを有している。
【００１４】
地上波受信部１０２は、地上波放送用アンテナ２と、地上波放送用チューナ４とを有している。
【００１５】
処理部２００は、スイッチャ５から出力されたトランスポート信号列を映像、音声及び付加情報信号列に分離する信号処理手段としてのＤＥＭＵＸ（多重分離）６と、ＤＥＭＵＸ６により分離された映像音声信号列を伸張させるデコーダ７と、付加情報からダウンロードする個別データの抽出、システムの初期化、ブートストラップ過程及びダウンローディングを実行するようにシステムの全体動作を制御する制御手段としてのマイクロコンピュータ８と、ダウンローディングモード時、マイクロコンピュータ８の制御によりＤＥＭＵＸ６から伝送された新しいメインプログラムが一時記憶される一次記憶手段としてのＲＡＭ（Ｒａｎｄｏｍ  Ａｃｃｅｓｓ  Ｍｅｍｏｒｙ）９と、マイクロコンピュータ８の制御によりメインプログラム、ブートプログラム及びダウンローディングプログラムが記憶される二次記憶手段としてのフラッシュメモリ１０と、各部のデータ及びアドレスを送受信するためのデータ・アドレスバス１１とを有している。
【００１６】
衛星受信部１０１は、衛星放送から第１の信号を受信する。言い換えれば、衛星放送用アンテナ１が、ＢＳ／ＣＳを受信し、衛星放送用チューナ３が衛星放送用アンテナ１から入力された信号を復調し、誤りを訂正してトランスポート信号列を出力する。
【００１７】
地上波受信部１０２は、地上波放送から第２の信号を受信する。言い換えれば、地上波放送用アンテナ２が地上波放送を受信し、地上波放送用チューナ４が地上波放送用アンテナ２から入力された信号を復調し、誤りを訂正してトランスポート信号列を出力する。
【００１８】
スイッチャ５は、上記衛星受信部１０１により受信された第１の信号と上記地上波受信部１０２により受信された第２の信号とを選択する。言い換えれば、スイッチャ５は、衛星放送用チューナ３と地上波放送用チューナ４から出力されるトランスポート信号列を切り換える。
【００１９】
処理部２００は、上記スイッチャ５により選択された信号を処理する。
【００２０】
具体的には、衛星放送用アンテナ１と地上波放送用アンテナ２で受信した各信号は、衛星放送用チューナ３と地上波放送用チューナ４で復調し誤りを訂正してトランスポート信号列が生成される。各トランスポート信号列はスイッチャ５で一方が選択されて、ＤＥＭＵＸ６に出力される。ＤＥＭＵＸ６に入力されたトランスポート信号列はＰＩＤ（番組番号）の番号によって、映像信号列、音声信号列、及び付加情報信号列に分離される。映像音声信号列はデコーダ７に、付加情報信号列はマイクロコンピュータ８に入力され、ダウンロードする個別データが抽出される。デコーダ７はＭＰＥＧII方式に圧縮された映像音声信号列を伸張し、映像音声（ＡＶ）が出力される。マイクロコンピュータ８がプログラムを遂行するために必要な変数はＲＡＭ９に貯蔵され、必要なときに読み出して使用される。
【００２１】
図２は、実施の形態１に係るデジタル放送受信装置のフラッシュメモリの構成図である。
【００２２】
フラッシュメモリ１２のメモリ領域は、ブートプログラム領域２０、ローディングプログラム領域２１、メインプログラム領域２２及びバージョン情報領域２３から構成される。
【００２３】
図３は、実施の形態１に係るデジタル放送受信装置のダウンローディングのフローチャートである。
【００２４】
マイクロコンピュータ８は、フラッシュメモリ１０に貯蔵されたローディングプログラムによりスタートされる。
【００２５】
ここで、手動もしくは自動で衛星放送あるいは地上波放送のネットワークを指定する（Ｓ３０）。
【００２６】
この指定されたネットワーク種別によって、衛星放送用チューナ３と地上波放送用チューナ４から出力されたトランスポート信号列がスイッチャ５によって切換えられＤＥＭＵＸ６へ出力される（Ｓ３１，Ｓ３２）。
【００２７】
ＤＥＭＵＸ６に入力されたトランスポート信号列は放送プログラムの識別番号（ＰＩＤ）によって、付加情報信号列が分離されて、付加情報信号列の識別情報によって自受信機宛の情報であるかが判定される（Ｓ３３）。
【００２８】
自受信機宛の情報である場合は、プログラムや共通データなどの個別データをダウンロードする（Ｓ３４）。
【００２９】
プログラムや共通データなどのダウンロードする個別データをＲＡＭ９に一時記憶する。ＲＡＭ９に一時記憶された新メインプログラムはメインプログラム領域２２に、新バージョン番号はフラッシュメモリ１０のバージョン情報領域２３に書き込まれれ（Ｓ３５）、メインプログラムのアップデートが終了する。最後に、システム全体をリセットし、新しいメインプログラムによりシステムの初期化が行われて、受信機のプログラムや共通データが更新される。
【００３０】
なお、本実施の形態では、ダウンロードするプログラムの格納領域は一つのみ記載しているが、通常、プログラム更新ミス等の対策として２個の格納領域を持つ。
【００３１】
以上のように、本実施の形態におけるデジタル放送受信装置は、ＢＳ／ＣＳと地上波放送の信号を復調する手段と、復調された前記信号の入力先のネットワークを切り換える手段と、入力された前記信号を映像、音声及び付加情報信号列に分離する信号処理手段と、前記付加情報からダウンロードする個別データを抽出する手段と、前記個別データを記憶する手段を有して、所要のネットワークから前記個別データをダウンロードすることを特徴とする。
【００３２】
本実施の形態１によれば、所要のネットワークから個別データをダウンロードすることができる。
【００３３】
実施の形態２．
実施の形態２においては、上記スイッチャ５が、上記処理部２００が上記スイッチャ５により選択された信号を処理できなった場合に、選択しなかった信号を改めて選択し、上記処理部２００が、上記スイッチャ５により改めて選択された信号を処理する。実施の形態２における各構成は、図１と同様である。
【００３４】
図４は、実施の形態２に係るデジタル放送受信装置のダウンローディングのフローチャートである。
【００３５】
図５は、スタートａ及びスタートｂのフローチャートである。
【００３６】
マイクロコンピュータ８は、フラッシュメモリ１０に貯蔵されたローディングプログラムによりスタートされる。ここで、衛星放送と地上波放送の受信スケジュールを管理して、開始時間になったネットワークを指定する（Ｓ４２）。
【００３７】
ここで、開始時間になったネットワークが衛星放送のネットワークであれば、スタートａに進み、衛星放送のネットワークが指定される（Ｓ４０）。開始時間になったネットワークが地上波放送のネットワークであれば、スタートｂに進み、地上波放送のネットワークが指定される（Ｓ４１）。
【００３８】
マイクロコンピュータ８は、現在、スイッチャ５により選択されているネットワークを判断し、指定したネットワークでなければ、スイッチャ５がマイクロコンピュータ８により指定されたネットワークに切りかえる（Ｓ３１）。
【００３９】
この指定されたネットワーク種別によって、衛星放送用チューナ３と地上波放送用チューナ４から出力されたトランスポート信号列がスイッチャ５によって切換えられＤＥＭＵＸ６へ出力される（Ｓ３２）。
【００４０】
ＤＥＭＵＸ６に入力されたトランスポート信号列はＰＩＤ番号によって、付加情報信号列が分離されて、付加情報信号列の識別情報によって自受信機宛の情報であるかが判定される（Ｓ３３）。
【００４１】
自受信機宛の情報である場合は、プログラムや共通データなどの個別データをダウンロードする（Ｓ３４）。
【００４２】
自受信機宛の情報である場合は、プログラムや共通データなどのダウンロードする個別データをＲＡＭ９に一時記憶する。ＲＡＭ９に一時記憶された新メインプログラムはメインプログラム領域２２に、新バージョン番号はフラッシュメモリ１０のバージョン情報領域２３に書き込まれ（Ｓ３５）、メインプログラムのアップデートが終了する。最後に、システム全体をリセットし、新しいメインプログラムによりシステムの初期化が行われて、受信機のプログラムや共通データが更新される。ダウンロードのエンジニアリングスロットの選局に失敗するなどした場合は、もう一方のネットワークでのスケジュールに従って、もう一方のネットワークを選択して、ダウンロードをやり直す。
【００４３】
以上のように、上記実施の形態１に加え、さらに、実施の形態２のデジタル放送受信装置は、ＢＳ／ＣＳと地上波放送のどちらか一方のネットワークを選局できなかった場合に、もう一方のネットワークのエンジニアリングスロットから前記個別データを取得することを特徴とする。
【００４４】
実施の形態２によれば、実施の形態１の効果に加え、さらに、一方のネットワークを選局できなかった場合に、もう一方のネットワークのエンジニアリングスロットから前記個別データを取得することができる。
【００４５】
実施の形態３．
上記衛星受信部１０１は、受信された第１の信号の受信レベルを計測し、上記地上波受信部１０２は、受信された第２の信号の受信レベルとを計測する。そして、上記処理部２００は、上記衛星受信部１０１により計測された第１の信号の受信レベルと上記地上波受信部１０２により計測された第２の信号の受信レベルとを比較し、上記スイッチャ５は、上記処理部２００により比較された結果、受信レベルが高い信号を選択する。実施の形態３における各構成は、図１と同様である。
【００４６】
図６は、実施の形態３に係るデジタル放送受信装置のダウンローディングのフローチャートである。
【００４７】
マイクロコンピュータ８は、フラッシュメモリ１０に貯蔵されたローディングプログラムによりスタートされる。
【００４８】
ここで、マイクロコンピュータ８は、衛星受信部１０１或いは地上波受信部１０２を介して入力した衛星放送あるいは地上波放送の受信レベルのうちで受信レベルの高いネットワークを指定する（Ｓ５０）。
【００４９】
この指定されたネットワーク種別によって、スタートａ或いはスタートｂに進む。スタートａ或いはスタートｂにおける各ステップは、図５におけるＳ３５までと同様である。省略して言い換えれば、衛星放送用チューナ３と地上波放送用チューナ４から出力されたトランスポート信号列がスイッチャ５によって切換えられＤＥＭＵＸ６へ出力される。ＤＥＭＵＸ６に入力されたトランスポート信号列はＰＩＤ番号によって、付加情報信号列が分離されて、付加情報信号列の識別情報によって自受信機宛の情報であるかが判定される。自受信機宛の情報である場合は、プログラムや共通データなどのダウンロードする個別データをＲＡＭ９に一時記憶する。ＲＡＭ９に一時記憶された新メインプログラムはメインプログラム領域２２に、新バージョン番号はフラッシュメモリ１０のバージョン情報領域２３に書き込まれれ、メインプログラムのアップデートが終了する。最後に、システム全体をリセットし、新しいメインプログラムによりシステムの初期化が行われて、受信機のプログラムや共通データが更新される。
【００５０】
以上のように、実施の形態３では、実施の形態１のデジタル放送受信装置において、さらに、ＢＳ／ＣＳと地上波放送の各ネットワークの受信レベルを計測する手段を有して、受信レベルの高いネットワークのエンジニアリングスロットから個別データを取得することを特徴とする。
【００５１】
実施の形態３によれば、実施の形態１の効果に加え、さらに、受信レベルの高い安定した情報を取得することができる。
【００５２】
実施の形態４．
実施の形態４では、上記スイッチャ５が、ユーザが予め設定した信号を選択するようにした。実施の形態４における各構成は、図１と同様である。
【００５３】
図７は、実施の形態４に係るデジタル放送受信装置のダウンローディングのフローチャートである。
【００５４】
マイクロコンピュータ８は、フラッシュメモリ１０に貯蔵されたローディングプログラムによりスタートされる。
【００５５】
ここで、マイクロコンピュータ８或いはスイッチャ５は、ユーザが予め設定した衛星放送あるいは地上波放送の選択に従って、ネットワークを指定する（Ｓ６０）。
【００５６】
この指定されたネットワーク種別によって、スタートａ或いはスタートｂに進む。スタートａ或いはスタートｂにおける各ステップは、図５におけるＳ３５までと同様である。省略して言い換えれば、衛星放送用チューナ３と地上波放送用チューナ４から出力されたトランスポート信号列がスイッチャ５によって切換えられＤＥＭＵＸ６へ出力される。ＤＥＭＵＸ６に入力されたトランスポート信号列はＰＩＤ番号によって、付加情報信号列が分離されて、付加情報信号列の識別情報によって自受信機宛の情報であるかが判定される。自受信機宛の情報である場合は、プログラムや共通データなどのダウンロードする個別データをＲＡＭ９に一時記憶する。ＲＡＭ９に一時記憶された新メインプログラムはメインプログラム領域２２に、新バージョン番号はフラッシュメモリ１０のバージョン情報領域２３に書き込まれれ、メインプログラムのアップデートが終了する。最後に、システム全体をリセットし、新しいメインプログラムによりシステムの初期化が行われて、受信機のプログラムや共通データが更新される。
【００５７】
以上のように、実施の形態４では、実施の形態１のデジタル放送受信装置において、ユーザが予めエンジニアリングスロットのネットワークを設定する手段を有して、ユーザが設定したネットワークのエンジニアリングスロットから個別データを取得する。
【００５８】
実施の形態４によれば、実施の形態１の効果に加え、ユーザが求めるエンジニアリングスロットのネットワークから個別データを取得することができる。
【００５９】
実施の形態５．
実施の形態５では、上記処理部２００が、さらに、上記衛星受信部１０１により受信される第１の信号と上記地上波受信部１０２により受信される第２の信号とについての受信の開始時刻を管理し、上記スイッチャ５が、上記処理部２００により管理された受信の開始時刻に基づいて、上記衛星受信部１０１により受信される第１の信号と上記地上波受信部１０２により受信される第２の信号との内、受信の開始時刻が早い信号を選択するようにする。実施の形態５における各構成は、図１と同様である。
【００６０】
図８は、実施の形態５に係るデジタル放送受信装置のダウンローディングのフローチャートである。
【００６１】
マイクロコンピュータ８は、フラッシュメモリ１０に貯蔵されたローディングプログラムによりスタートされる。
【００６２】
ここで、マイクロコンピュータ８は、各ダウンロードスケジュールのうち、開始時刻が早いネットワークを指定する（Ｓ７０）。
【００６３】
この指定されたネットワーク種別によって、スタートａ或いはスタートｂに進む。スタートａ或いはスタートｂにおける各ステップは、図５におけるＳ３５までと同様である。省略して言い換えれば、衛星放送用チューナ３と地上波放送用チューナ４から出力されたトランスポート信号列がスイッチャ５によって切換えられＤＥＭＵＸ６へ出力される。ＤＥＭＵＸ６に入力されたトランスポート信号列はＰＩＤ番号によって、付加情報信号列が分離されて、付加情報信号列の識別情報によって自受信機宛の情報であるかが判定される。自受信機宛の情報である場合は、プログラムや共通データなどのダウンロードする個別データをＲＡＭ９に一時記憶する。ＲＡＭ９に一時記憶された新メインプログラムはメインプログラム領域２２に、新バージョン番号はフラッシュメモリ１０のバージョン情報領域２３に書き込まれれ、メインプログラムのアップデートが終了する。最後に、システム全体をリセットし、新しいメインプログラムによりシステムの初期化が行われて、受信機のプログラムや共通データが更新される。
【００６４】
以上のように、実施の形態５では、実施の形態１のデジタル放送受信装置において、ダウンロードスケジュールを管理する手段を有して、ＢＳ／ＣＳと地上波放送のうち、ダウンロードの開始時刻が早いエンジニアリングスロットから個別データを取得することを特徴とする。
【００６５】
実施の形態５によれば、実施の形態１の効果に加え、ダウンロードの開始時刻が早いエンジニアリングスロットから効率的に個別データを取得することができる。
【００６６】
実施の形態６．
実施の形態６では、上記処理部２００が、さらに、上記衛星受信部１０１により受信される第１の信号と上記地上波受信部１０２により受信される第２の信号とについての受信の終了時刻を管理し、上記スイッチャ５が、上記処理部２００により管理された受信の終了時刻に基づいて、上記衛星受信部１０１により受信される第１の信号と上記地上波受信部１０２により受信される第２の信号との内、受信の終了時刻が早い信号を選択するようにする。実施の形態６における各構成は、図１と同様である。
【００６７】
図９は、実施の形態６に係るデジタル放送受信装置のダウンローディングのフローチャートである。
【００６８】
マイクロコンピュータ８は、フラッシュメモリ１０に貯蔵されたローディングプログラムによりスタートされる。
【００６９】
ここで、マイクロコンピュータ８は、各ダウンロードスケジュールのうち、終了時刻が早いネットワークを指定する（Ｓ８０）。
【００７０】
この指定されたネットワーク種別によって、スタートａ或いはスタートｂに進む。スタートａ或いはスタートｂにおける各ステップは、図５におけるＳ３５までと同様である。省略して言い換えれば、衛星放送用チューナ３と地上波放送用チューナ４から出力されたトランスポート信号列がスイッチャ５によって切換えられＤＥＭＵＸ６へ出力される。ＤＥＭＵＸ６に入力されたトランスポート信号列はＰＩＤ番号によって、付加情報信号列が分離されて、付加情報信号列の識別情報によって自受信機宛の情報であるかが判定される。自受信機宛の情報である場合は、プログラムや共通データなどのダウンロードする個別データをＲＡＭ９に一時記憶する。ＲＡＭ９に一時記憶された新メインプログラムはメインプログラム領域２２に、新バージョン番号はフラッシュメモリ１０のバージョン情報領域２３に書き込まれれ、メインプログラムのアップデートが終了する。最後に、システム全体をリセットし、新しいメインプログラムによりシステムの初期化が行われて、受信機のプログラムや共通データが更新される。
【００７１】
以上のように、実施の形態６では、実施の形態１のデジタル放送受信装置において、ダウンロードスケジュールを管理する手段を有して、ＢＳ／ＣＳと地上波放送のうち、ダウンロードの終了時刻が早いエンジニアリングスロットから個別データを取得することを特徴とする。
【００７２】
実施の形態６によれば、実施の形態１の効果に加え、ダウンロードの終了時刻が早いエンジニアリングスロットから個別データを取得することができる。そのため、ダウンロード開始後に生じた他のダウンロードしたいデータを極力逃さずにすむことができる。また、ダウンロードの終了時刻が早いため、個別データの取得に対し、ユーザを待たさずに済ますことができる。
【００７３】
以上の説明において、各実施の形態は、一部或いは全て組合わせて用いるように構成しても構わない。
【図面の簡単な説明】
【００７４】
【図１】実施の形態１に係るデジタル放送受信装置の構成図である。
【図２】実施の形態１に係るデジタル放送受信装置のフラッシュメモリの構成図である。
【図３】実施の形態１に係るデジタル放送受信装置のダウンローディングのフローチャートである。
【図４】実施の形態２に係るデジタル放送受信装置のダウンローディングのフローチャートである。
【図５】スタートａ及びスタートｂのフローチャートである。
【図６】実施の形態３に係るデジタル放送受信装置のダウンローディングのフローチャートである。
【図７】実施の形態４に係るデジタル放送受信装置のダウンローディングのフローチャートである。
【図８】実施の形態５に係るデジタル放送受信装置のダウンローディングのフローチャートである。
【図９】実施の形態６に係るデジタル放送受信装置のダウンローディングのフローチャートである。
【符号の説明】
【００７５】
１  衛星放送用アンテナ、２  地上波放送用アンテナ、３  衛星放送用チューナ、４  地上波放送用チューナ、５  スイッチャ、６  ＤＥＭＵＸ、７  デコーダ、８  マイクロコンピュータ、９  ＲＡＭ、１０  フラッシュメモリ、１１  データ・アドレスバス、２０  ブートプログラム領域、２１  ローディングプログラム領域、２２  メインプログラム領域、２３  バージョン情報領域、１０１  衛星受信部、１０２  地上波受信部、２００  処理部。
【図１】
2005051610.tif 000003
【図２】
2005051610.tif 000004
【図３】
2005051610.tif 000005
【図４】
2005051610.tif 000006
【図５】
2005051610.tif 000007
【図６】
2005051610.tif 000008
【図７】
2005051610.tif 000009
【図８】
2005051610.tif 000010
【図９】
2005051610.tif 000011